(57)【要約】【課題】無線タグ読取装置による無線タグの一括読取により販売情報が登録された商品と未登録の商品とを容易に見分けられるようにする。【解決手段】無線タグ読取装置２によりタグ情報が一括読取される毎に、前回読取られたが今回読取られなかったタグ情報を検索し、該当するタグ情報が検出されると、そのタグ情報から商品の販売情報を取得し、販売登録部に登録処理する。また、前回読取られたが今回読取られなかったタグ情報が検出されたことに応じて表示装置４の表示内容を変化させる。さらに、バーコードリーダ３を介して販売商品に関する情報が入力されると、その入力情報から商品の販売情報を取得し、販売登録部に登録処理する。【選択図】      図１
2005141648.tif 000002
【特許請求の範囲】
【請求項１】
商品の販売情報が登録される販売登録部と、
一定の間隔で読取領域内に置かれた各商品にそれぞれ付された無線タグからタグ情報を一括して読取る無線タグ読取装置と、
前記無線タグ読取装置によりタグ情報が一括読取される毎に、前回読取られたが今回読取られなかったタグ情報を検索する検索手段と、
この検索手段により該当するタグ情報が検出されると、そのタグ情報から商品の販売情報を取得し前記販売登録部に登録処理する第１の商品販売登録処理手段と、
前記検索手段により該当するタグ情報が検出されたことに応じて報知動作する報知手段と、
販売商品に関する情報を入力する入力手段と、
この入力手段を介して入力された情報から商品の販売情報を取得し前記販売登録部に登録処理する第２の商品販売登録処理手段と、
を具備したことを特徴とする商品販売登録処理システム。
【請求項２】
入力手段は、販売商品に付されたバーコードを読取るバーコード読取装置であり、
第２の商品販売登録処理手段は、前記バーコード読取装置で読取られたバーコードから商品の販売情報を取得し前記販売登録部に登録処理する手段であることを特徴とする請求項１記載の商品販売登録処理システム。
【請求項３】
入力手段は、販売商品に付されたバーコードを読取るバーコード読取装置及び販売商品に付された無線タグのタグ情報を読取る第２の無線タグ読取装置であり、
第２の商品販売登録処理手段は、前記バーコード読取装置で読取られたバーコードから商品の販売情報を取得し前記販売登録部に登録処理する手段及び前記第２の無線タグ読取装置で読取られたタグ情報から商品の販売情報を取得し前記販売登録部に登録処理する手段であることを特徴とする請求項１記載の商品販売登録処理システム。
【請求項４】
操作者に対する表示装置を備え、
報知手段は、検索手段により該当するタグ情報が検出されたことに応じて前記表示装置の表示内容を変更する手段であることを特徴とする請求項１乃至３のうちいずれか１項記載の商品販売登録処理システム。
【請求項５】
操作者に対する表示装置と、無線タグ読取装置で一括読取されたタグ情報の情報数を計数する情報数カウンタと、検索手段により該当するタグ情報が検出される毎に前記情報数カウンタのカウント値を減算する減算手段とを備え、
報知手段は、前記検索手段により該当するタグ情報が検出されたことに応じて前記情報数カウンタのカウント値を前記表示装置に表示させる手段であることを特徴とする請求項１乃至３のうちいずれか１項記載の商品販売登録処理システム。
【請求項６】
操作者に対する表示装置と、各商品毎の画像情報を保存する画像保存手段と、検索手段により該当するタグ情報が検出されると、そのタグ情報から販売情報が得られる商品の画像情報を前記画像保存手段から呼出す画像呼出手段とを備え、
報知手段は、前記検索手段により該当するタグ情報が検出されたことに応じて前記画像呼出手段により呼出された画像情報を前記表示装置に表示させる手段であることを特徴とする請求項１乃至３のうちいずれか１項記載の商品販売登録処理システム。
【請求項７】
商品の販売情報が登録される販売登録部と、
一定の間隔で読取領域内に置かれた各商品にそれぞれ付された無線タグからタグ情報を一括して読取る無線タグ読取装置と、
この無線タグ読取装置により一括読取されたタグ情報に基づいて前記読取領域内に置かれた各商品の販売情報を取得し前記販売登録部に登録処理する第１の商品販売登録処理手段と、
前記無線タグ読取装置によりタグ情報が一括読取される毎に、前回読取られたが今回読取られなかったタグ情報を検索する検索手段と、
この検索手段により該当するタグ情報が検出されたことに応じて報知動作する報知手段と、
販売商品に関する情報を入力する入力手段と、
この入力手段を介して入力された情報から商品の販売情報を取得し前記販売登録部に登録処理する第２の商品販売登録処理手段と、
を具備したことを特徴とする商品販売登録処理システム。
【発明の詳細な説明】
【技術分野】
【０００１】
本発明は、各商品にそれぞれ付された無線タグのタグ情報から商品の販売情報を登録処理する商品販売登録処理システムに関する。
【背景技術】
【０００２】
近年、無線タグを利用した商品販売登録処理システムが注目されている。その一例として、各商品毎にそれぞれその商品固有の商品識別コード等が記憶された無線タグを付し、無線タグ読取装置によって、買物籠に入れられた１顧客分の購入商品にそれぞれ付された無線タグから商品識別コード等のタグ情報を一括して読取り、このタグ情報に基づいて１顧客分の購入商品の販売情報をＰＯＳ（Point Of Sales）端末のメモリ等に登録処理するようにしたものがある（例えば、特許文献１参照）。
【０００３】
また、１人のオペレータが無線タグ読取装置とバーコード読取装置とをそれぞれ別々に操作して、無線タグが付されたアイテム（商品）は無線タグ読取装置で読取った情報とアイテムとを関連付け、バーコードが付されたアイテム（商品）はバーコード読取装置で読取った情報とアイテムとを関連付けるアイテム処理システムも知られている（例えば、特許文献２参照）。
【特許文献１】特開平１０−４９７５６号公報
【特許文献２】特開２００３−５１０６６公報
【発明の開示】
【発明が解決しようとする課題】
【０００４】
しかしながら、タグ情報を一括して読取る無線タグ読取装置を利用した従来の商品販売登録処理システムにおいては、無線タグが付されている商品と付されていない商品とが混在して販売される場合の対策について何等考慮されていなかった。すなわち、無線タグが付されている商品と付されていない商品とが混在して買物籠に入れられた場合、キャッシャが買物籠に入っている各商品のなかから無線タグ読取装置を介して登録された商品と登録されなかった商品とを見分けなければならないが、従来のシステムでは容易に見分けることが困難であった。そのため、無線タグを利用した商品販売登録処理システムを導入しても商品登録作業の能率が低下するおそれがあった。
【０００５】
本発明はこのような事情に基づいてなされたもので、その目的とするところは、無線タグ読取装置による無線タグの一括読取により販売情報が登録された商品と未登録の商品とを容易に見分けることができ、商品登録作業の能率向上を図ることができる商品販売登録処理システムを提供しようとするものである。
【課題を解決するための手段】
【０００６】
本発明の商品販売登録処理システムは、商品の販売情報が登録される販売登録部と、一定の間隔で読取領域内に置かれた各商品にそれぞれ付された無線タグからタグ情報を一括して読取る無線タグ読取装置と、この無線タグ読取装置によりタグ情報が一括読取される毎に、前回読取られたが今回読取られなかったタグ情報を検索し、該当するタグ情報が検出されると、そのタグ情報から商品の販売情報を取得し、販売登録部に登録処理する手段と、前回読取られたが今回読取られなかったタグ情報が検出されたことに応じて報知動作する報知手段と、入力手段を介して販売商品に関する情報が入力されると、その入力情報から商品の販売情報を取得し、販売登録部に登録処理する手段とを備えている。したがって、無線タグ読取装置によりタグ情報が読取られた無線タグが付された商品は、操作者が無線タグ読取装置の読取領域内から取り出すことによって販売情報が登録処理される。このとき、操作者は無線タグ読取装置の読取領域内から商品を取り出したときに報知手段が報知動作すると、取り出した商品の販売情報が登録処理されたと認識する。報知手段が報知動作しないときには、取り出した商品の販売情報が登録処理されていないと判断し、操作者は、入力手段を介してその商品の販売商品に関する情報を入力して販売登録部に登録処理する。
【発明の効果】
【０００７】
かかる手段を講じた本発明の商品販売登録処理システムによれば、無線タグ読取装置の読取り領域内に置かれた商品を読取り領域外に移動させた際の報知動作の有無によって無線タグの一括読取により販売情報が登録された商品と未登録の商品とを容易に見分けることができる。したがって、商品登録作業の能率向上を図ることができる。
【発明を実施するための最良の形態】
【０００８】
以下、本発明の実施の形態を図面を用いて説明する。  
なお、この実施の形態は、無線タグが付された商品と付されていない商品とが混在しており、かつその大部分の商品にはバーコードが印刷または貼付されている小売店に適用した商品販売登録処理システムに関するものである。
【０００９】
［第１の実施の形態］
図１は第１の実施の形態における商品販売登録処理システムのブロック構成図であり、図２は同商品販売登録処理システムを導入したチェックアウト部の模式図である。本システムは、ＰＯＳ端末１と、該ＰＯＳ端末１に通信ケーブルを介してそれぞれ接続された無線タグリーダ２，バーコードリーダ３、表示装置４及び籠センサ５と、該ＰＯＳ端末１とＬＡＮ（Local Area Network）等のネットワークで接続されたＰＯＳサーバ６とから構成されている。
【００１０】
ＰＯＳ端末１は、チェックアウトカウンタ７の内側にキャッシャＣＡの方を向けて設置されており、その筐体には、１顧客が買上げる商品の登録終了を宣言する締めキー等が配設されたキーボード１１と、販売登録された商品の名称，金額，合計金額等を表示するオペレータ用表示器１２及び客用表示器１３とが設けられている。また、筐体内部にはレシート等を印字するためのプリンタ１４が設けられている。
【００１１】
バーコードリーダ３は、各商品にそれぞれ付されたバーコード８を光学的に読取るバーコード読取装置の一種であり、チェックアウトカウンタ７の略中央部に、バーコード読取り面３Ａをカウンタの内側に向けて略垂直に立設されている。バーコード８には、各商品の種類を識別するべく商品毎に予め割当設定された商品コードが含まれている。
【００１２】
表示装置４は、販売登録された商品の名称等を表示するためのもので、バーコードリーダ３の頂部に、表示画面をチェックアウトカウンタ７の内側に向けて取り付けられている。なお、表示装置４の取付部位はバーコードリーダ３の頂部に限定されるものではなく、その表示画面をチェックアウトカウンタ７の内側にいるキャッシャＣＡが販売商品の登録作業中に容易に確認できる部位であれば何処でもよい。
【００１３】
無線タグリーダ２は、複数枚、本実施の形態では２枚のアンテナ２Ａ，２Ｂを有し、図２に示す如く、一方のアンテナ２Ａをチェックアウトカウンタ７のバーコードリーダ３よりも店内側に埋設し、他方のアンテナ２Ｂをその近傍のチェックアウトカウンタ７上に立設して、両アンテナ２Ａ，２Ｂの電波到達エリア内を無線タグ１０の読取領域とする。そして一定の間隔で、この読取領域内に置かれた買物籠９に収容されている各商品にそれぞれ付された無線タグ１０からタグ情報を一括して読取るもので、無線タグ読取装置の一種である。なお、各商品に付された無線タグ１０のメモリには、そのタグ固有のＩＤとともに、その無線タグ１０が付された商品の商品コードが予め記憶されている。
【００１４】
籠センサ５は、前記無線タグリーダ２の読取領域内に置かれた買物籠９を検知するもので、例えば光学式センサや重量センサ等で構成される。
【００１５】
ＰＯＳサーバ６は、各商品の商品コードに対応して、商品名，単価，商品画像等の商品情報を蓄積した商品データベース６Ａを備え、ＰＯＳ端末１からの商品コード問合わせに応答して商品データベース６Ａを検索して、問合わせがあった商品コードに対応する商品情報を呼出し、ＰＯＳ端末１に返信する機能を有するものである。
【００１６】
図３はＰＯＳ端末１の要部構成を示すブロック図である。ＰＯＳ端末１は、制御部本体を構成するＣＰＵ（Central Processing Unit）２１、このＣＰＵ２１が各部を制御するためのプログラムデータ等が格納されたＲＯＭ（Read Only Memory）２２、このＣＰＵ２１がデータを演算，表示，印刷，入出力処理する場合に使用する各種メモリエリアやデータを一時的に保存するメモリエリア等を有するＲＡＭ（Random Access Memory）２３、現在の日付及び時刻を計時する時計部２４、前記ＰＯＳサーバ６との間でデータ通信を行う通信インターフェイス２５、前記表示装置４に表示データを送信する表示装置インターフェイス２６、前記バーコードリーダ３からバーコードデータを受信するバーコードリーダインターフェイス２７、前記無線タグリーダ２からタグ情報を受信する無線タグリーダインターフェイス２８、前記籠センサ５から検知信号を入力するＩ／Ｏ（Input/Output）ポート２９、前記キーボード１１のキー入力を制御するキーボードコントローラ３０、前記オペレータ用表示器１２の画面表示を制御する表示コントローラ３１、前記客用表示器１３の画面表示を制御する表示コントローラ３２、前記プリンタ１４の印刷動作を制御するプリンタコントローラ３３等を備えている。ＣＰＵ２１と、ＲＯＭ２２，ＲＡＭ２３，時計部２４，Ｉ／Ｏポート２９，各インターフェイス２６〜２８及び各コントローラ３０〜３３とは、アドレスバス，データバス等のバスライン３４で接続されている。
【００１７】
かかる構成のＰＯＳ端末１において、前記ＲＡＭ２３には、特に図４に示すように、販売商品の商品情報が登録される商品登録メモリ４１の他、登録金額合計器４２、登録数カウンタ４３、表示オプションメモリ４４、タグ情報メモリ４５及びタグ情報数カウンタ４６等の各種メモリエリアが形成されている。登録金額合計器４２は、１買物客が購入する商品の登録金額を合計するエリアである。登録数カウンタ４３は、１買物客が購入する商品の登録点数Ｍを計数するエリアである。
【００１８】
タグ情報メモリ４５は、無線タグリーダ２によって一括読取された無線タグ１０の記憶情報（ＩＤ，商品コード）とその商品コードに対応する商品情報（商品名，単価，商品画像等）と、タグ情報毎の処理済フラグＦ０とを一時的に記憶するエリアである。タグ情報数カウンタ４６は、タグ情報メモリ４５に記憶されたタグ情報のうち未処理のタグ情報数Ｎを計数するエリアである。
【００１９】
表示オプションメモリ４４は、前記表示装置４に対する複数の情報表示形式のなかから選択指定された形式に対応したオプション情報ＯＰを記憶するエリアである。情報表示形式はオプション情報ＯＰ＝１〜３で指定される。
【００２０】
ＣＰＵ２１は、図５の流れ図に示す手順により、１買物客が買上げる販売商品の登録からその代金の清算までを制御するものとなっている。すなわちＣＰＵ２１は、前客の清算が完了した後の初期状態として、籠センサ５からのオン信号を待機する（ＳＴ１）。そして、無線タグリーダ２の読取領域内に買物籠９が置かれ、籠センサ５からオン信号が出力されると、ＣＰＵ２１は、無線タグリーダ２に読取動作開始を指令する（ＳＴ２）。
【００２１】
これにより、無線タグリーダ２は読取動作を開始し、読取領域内に置かれている各商品に付された無線タグ１０のタグ情報を一括して読取り、一括読取されたタグ情報をまとめてＰＯＳ端末１に送信する。無線タグリーダ２は、この読取動作を、一定の間隔（例えば１秒間隔）で繰り返し、その都度、一括読取されたタグ情報をＰＯＳ端末１に送信する。
【００２２】
ＣＰＵ２１は、無線タグリーダ２に読取動作開始を指令した後、無線タグリーダ２からタグ情報が送られてくるのを待機する（ＳＴ３）。そして、無線タグリーダ２で一括読取された最初のタグ情報を受信すると、ＣＰＵ２１は、各タグ情報から商品コードをそれぞれ取得し、各商品コードに対応する商品情報（商品名，単価，商品画像等）をＰＯＳサーバ６の商品データベース６Ａから取り込む。そして、無線タグリーダ２で最初に一括読取られた全てのタグ情報と、そのタグ情報中の商品コードに対応する商品情報とを対にし、未処理“０”を示す処理済フラグＦ０を付してタグ情報メモリ４５に格納する（ＳＴ４）。またＣＰＵ２１は、タグ情報数カウンタ４６を用いてタグ情報メモリ４５に格納されたタグ情報数Ｎを計数し、記憶する（ＳＴ５）。
【００２３】
次に、ＣＰＵ２１は、表示オプションメモリ４４に設定されているオプション情報ＯＰを調べる（ＳＴ６）。そして、オプション情報ＯＰとして第１の情報表示形式を示す“１”が設定されていた場合には、ＣＰＵ２１は、タグ情報メモリ４５に格納された全てのタグ情報中の商品コードに対応する商品名を呼出し、表示装置４に一覧表示させる。また、タグ情報数カウンタ４６のカウント値Ｎ（タグ情報数）も商品読取数として表示装置４に表示させる（ＳＴ７）。その他のオプション情報ＯＰが設定されていた場合には、ＣＰＵ２１は、この時点で表示装置４に情報を何も表示しない。
【００２４】
その後、ＣＰＵ２１は、無線タグリーダ２から、無線タグリーダ２で次に一括読取されたタグ情報が送られてくるか（ＳＴ８）、バーコードリーダ３からバーコード情報が送られてくるか（ＳＴ９）、キーボード１１のキー入力が行われるのを待機する（ＳＴ１０）。
【００２５】
そしてＣＰＵ２１は、無線タグリーダ２から一定の間隔で送られてくるタグ情報を入力する毎に、図６の流れ図に具体的に示すタグ登録処理を実行する。すなわちＣＰＵ２１は、タグ情報メモリ４５に記憶されているタグ情報（ＩＤ，商品コード）のＩＤが今回読取られたタグ情報の中に存在するか否かを検索する（ＳＴ２１：検索手段）。そして、タグ情報メモリ４５に記憶されている全てのＩＤが今回読取られたタグ情報の中に存在する場合には（ＳＴ２２）、ＣＰＵ２１は、このタグ登録処理を終了する。
【００２６】
これに対し、タグ情報メモリ４５に記憶されているタグ情報のＩＤの中で、今回読取られた無線タグ情報の中に存在しないＩＤを検出した場合には、ＣＰＵ２１は、当該ＩＤに対して以下の処理を実行する。すなわちＣＰＵ２１は、タグ情報メモリ４５を検索して、当該ＩＤに対応する処理済フラグＦ０が“１”にセットされているか否かを判断する（ＳＴ２３）。そして、“１”にセットされていた場合には、当該ＩＤに対する処理を終了する。
【００２７】
当該ＩＤに対応する処理済フラグＦ０が“０”にリセットされていた場合、ＣＰＵ２１は、タグ情報メモリ４５を検索して、当該ＩＤに対応する商品コードと商品情報とを読み出す。そして、商品情報中の単価を販売金額とし、“１”を販売点数として、商品コード，販売金額及び販売点数からなる商品販売情報を商品登録メモリ４１に売上登録処理する（ＳＴ２４：第１の商品販売登録処理手段）。また、登録処理された販売金額を登録金額合計器４２に加算するとともに、登録数カウンタ４３を“１”だけカウントアップさせる（ＳＴ２５）。そして、タグ情報メモリ４５に当該ＩＤに対応して記憶されている処理済フラグＦ０を“１”にセットする（ＳＴ２６）。
【００２８】
しかる後、ＣＰＵ２１は、表示オプションメモリ４４に設定されているオプション情報ＯＰを調べる（ＳＴ２７）。ここで、オプション情報ＯＰとして“１”が設定されていた場合には、ＣＰＵ２１は、タグ情報数カウンタ４６のカウント値Ｎを“１”だけ減算した後（ＳＴ２８）、表示装置４に表示されている当該ＩＤに対応する商品名を特殊表示、例えば白黒反転表示に変更するとともに、商品読取数をタグ情報数カウンタ４６のカウント値Ｎに変更して、当該商品の販売情報が登録処理されたことをキャッシャに報知する（ＳＴ２９：報知手段）。
【００２９】
これに対し、オプション情報ＯＰとして第２の情報表示形式を示す“２”が設定されていた場合には、ＣＰＵ２１は、タグ情報メモリ４５から読み出した当該ＩＤに対応する商品名と、登録数カウンタ４３のカウント値Ｎとを表示装置４に表示させて、当該商品の販売情報が登録処理されたことをキャッシャに報知する（ＳＴ３０：報知手段）。
【００３０】
また、オプション情報ＯＰとして第３の情報表示形式を示す“３”が設定されていた場合には、ＣＰＵ２１は、タグ情報メモリ４５から読み出した当該ＩＤに対応する商品名と商品画像とを表示装置４に表示させて、当該商品の販売情報が登録処理されたことをキャッシャに報知する（ＳＴ３１：報知手段）。
【００３１】
以上で、ＣＰＵ２１は、当該ＩＤに対する処理を終了する。以後、ＣＰＵ２１は、タグ情報メモリ４５に記憶されているＩＤの中に今回読取られた無線タグ情報には存在しないＩＤを検出する毎に、当該ＩＤに対してＳＴ２２〜ＳＴ３３の各処理を実行する。そして、タグ情報メモリ４５に記憶されているＩＤに対して検索処理を終了したならば、この無線タグ登録処理を終了する。
【００３２】
またＣＰＵ２１は、バーコードリーダ３からバーコード情報が送られてくると、図７の流れ図に具体的に示すバーコード登録処理を実行する。先ずＣＰＵ２１は、入力されたバーコード情報から販売商品に関する情報として商品コードを取得する（ＳＴ４１）。次に、ＣＰＵ２１は、商品登録メモリ４１に直前に登録された商品販売情報の商品コードと、今回入力されたバーコード情報から取得した商品コードとを比較する（ＳＴ４２）。そして、両商品コードが一致しない場合には、ＳＴ４７の処理に進む。
【００３３】
両商品コードが一致した場合には、ＣＰＵ２１は、重複登録を操作者に警告するメッセージ（例えば「バーコード登録された商品は、直前に登録された商品と同一ですが、よろしいですか？」）を表示装置４に表示させる（ＳＴ４４）。ここで、キーボード１１のキー操作により取消が指示された場合には（ＳＴ４５）、ＣＰＵ２１は、重複登録警告表示を消去して、今回のバーコード登録処理を終了する。これに対し、キーボード１１のキー操作により実行が指示された場合には（ＳＴ４６）、ＣＰＵ２１は、重複登録警告表示を消去して、ＳＴ４７の処理に進む。
【００３４】
直前登録商品とは異なる商品コードがスキャニング入力された場合、若しくは直前登録商品と一致する商品コードがスキャニング入力されたがキー操作によって実行が指令された場合には、ＣＰＵ２１は、バーコード情報から取得した商品コードに対応する商品情報（商品名，単価，商品画像等）をＰＯＳサーバ６の商品データベース６Ａから取り込む。そして、この商品情報中の単価を販売金額とし、“１”を販売点数として、商品コード，販売金額及び販売点数からなる商品販売情報を商品登録メモリ４１に売上登録処理する（ＳＴ４７：第２の商品販売登録処理手段）。また、登録処理された販売金額を登録金額合計器４２に加算するとともに、登録数カウンタ４３を“１”だけカウントアップさせる（ＳＴ４８）。
【００３５】
しかる後、ＣＰＵ２１は、表示オプションメモリ４４に設定されているオプション情報ＯＰを調べる（ＳＴ４９）。ここで、オプション情報ＯＰとして“１”が設定されていた場合には、ＣＰＵ２１は、商品データベース６Ａから取得した商品情報中の商品名を表示装置４に特殊表示形態で表示させる（ＳＴ５０）。オプション情報ＯＰとして“２”が設定されていた場合には、ＣＰＵ２１は、同商品情報中の商品名と登録数カウンタ４３のカウント値Ｎとを表示装置４に表示させる（ＳＴ５１）。オプション情報ＯＰとして“３”が設定されていた場合には、ＣＰＵ２１は、同商品情報中の商品名と商品画像とを表示装置４に表示させる（ＳＴ５２）。以上で、ＣＰＵ２１は、今回のバーコード登録処理を終了する。
【００３６】
またＣＰＵ２１は、キーボード１１のキー入力を検知すると、そのキー入力に応じた処理を実行する。ここで、１買物客が買上げる販売商品の登録終了を宣言する締めキーが入力されたことを検知した場合には、ＣＰＵ２１は、無線タグリーダ２に読取動作終了を指令する（ＳＴ１２）。またＣＰＵ２１は、登録金額合計器４２に記憶されている合計金額に対する清算処理やレシート発行処理等を含む通常の登録締め処理を実行する（ＳＴ１３）。そして、ＣＰＵ２１は、今回の１買物客に対する制御処理を終了する。
【００３７】
このように構成された本実施の形態の商品販売登録処理システムが構築された小売店においては、買物客が購入を希望する商品を買物籠９に入れてチェックアウトカウンタ７まで来ると、キャッシャは、その買物籠９をチェックアウトカウンタ７の無線タグ読取領域に置かせる。すると、無線タグリーダ２が読取動作を開始して、買物籠９に収容されている各商品にそれぞれ付されている無線タグ１０の記憶情報が一斉に読取られる。
【００３８】
今、一例として無線タグ１０が付されている「○○クッキー」，「××カップ麺」及び「□□コーヒー」と、無線タグ１０が付されていない「△△ジュース」の計４点が収容された買物籠９が無線タグリーダ２の読取領域内に置かれたとする。
【００３９】
この場合において、「○○クッキー」，「××カップ麺」及び「□□コーヒー」にそれぞれ付されている無線タグ１０の記憶情報が無線タグリーダ２によって正常に読取られたとすると、表示オプションＯＰとして“１”が設定されていた場合には、図８（ａ）に示すように、タグ情報が正常に読取られた３品目の商品名と商品読取数「３」とが表示装置４に表示される。表示オプションＯＰとして“２”または“３”が設定されていた場合には、図９（ａ）または図１０（ａ）に示すように、表示装置４には何も情報が表示されない。
【００４０】
次に、キャッシャは、チェックアウトカウンタ７のバーコードリーダ３よりも店外側に空の買物籠９′を用意する。そして、買物籠９から商品を取り出して空の買物籠９′の方へ移動させる。例えば、最初に商品「□□コーヒー」を移動させたとする。そうすると、この商品「□□コーヒー」に付された無線タグ１０のタグ情報は、商品「□□コーヒー」が無線タグリーダ２の読取領域から外れた段階で読取られなくなるので、この時点で、商品「□□コーヒー」の販売情報が商品登録メモリ４１に登録処理される。また、表示オプションＯＰとして“１”が設定されていた場合には、図８（ｂ）に示すように、商品「□□コーヒー」の商品名が白黒反転等の特殊表示になるとともに商品読取数が「２」に減算される。表示オプションＯＰとして“２”が設定されていた場合には、図９（ｂ）に示すように、表示装置４に商品「□□コーヒー」の商品名と商品登録数「１」が表示される。表示オプションＯＰとして“３”が設定されていた場合には、図１０（ｂ）に示すように、表示装置４に商品「□□コーヒー」の商品名と商品画像が表示される。したがって、キャッシャは、表示装置４の表示内容が変更されたことから、買物籠９から取り出した商品「□□コーヒー」は、その販売情報が無線タグリーダ２を介して登録処理された商品であることを認識することができる。そこでキャッシャは、商品「□□コーヒー」を空の買物籠９′に入れる。
【００４１】
次に、キャッシャが商品「△△ジュース」を買物籠９から取り出して空の買物籠９′の方へ移動させたとする。そうすると、この商品「△△ジュース」には無線タグが付されていないので、表示オプションＯＰに拘らず表示装置４の表示内容は変更されない。したがって、キャッシャは、表示装置４の表示内容が変更されなかったことから、買物籠９から取り出した商品「△△ジュース」は、その販売情報が無線タグリーダ２を介して登録処理されなかった商品であることを認識することができる。そこでキャッシャは、商品「△△ジュース」に付されているバーコードをバーコードリーダ３で読取らせてその販売情報を登録処理させた後、買物籠９′に入れる。このとき、表示オプションＯＰとして“１”が設定されていた場合には、図８（ｃ）に示すように、表示装置４に商品「△△ジュース」の商品名が白黒反転等の特殊表示形態で追加表示されて商品読取数は変更されない。表示オプションＯＰとして“２”が設定されていた場合には、図９（ｃ）に示すように、表示装置４に商品「△△ジュース」の商品名が追加表示されるとともに商品登録数が「２」に変更される。表示オプションＯＰとして“３”が設定されていた場合には、図１０（ｃ）に示すように、表示装置４に商品「△△ジュース」の商品名と商品画像が追加表示される。
【００４２】
次に、キャッシャが商品「○○クッキー」を買物籠９から取り出して買物籠９′の方へ移動させたとする。この場合は、商品「□□コーヒー」と同様に、商品「○○クッキー」が無線タグリーダ２の読取領域から外れた段階で当該商品「○○クッキー」の販売情報が登録処理されるとともに、表示装置４の表示内容が表示オプションＯＰに併せて変更される。
【００４３】
ここで、キャッシャが商品「○○クッキー」を買物籠９′の方へ移動させる際に、当該商品「○○クッキー」にプレ印刷されていたバーコードをバーコードリーダ３の読取面３ａに向けて移動させたために、当該バーコードがバーコードリーダ３によって読取られたとする。この場合には、直前に登録された商品のバーコードとスキャニング入力された商品のバーコードとが一致するので、表示装置４に重複警告表示がなされる。そこでキャッシャは、キー操作により取消指示を行う。これにより、無線タグリーダ２とバーコードリーダ３とによって商品「○○クッキー」の販売情報が重複して登録処理されることを未然に防ぐことができる。
【００４４】
こうして、一方の買物籠９に収容されていた商品を全て他方の買物籠９′に移したならば、キャッシャはキーボード１１の締めキーを操作して登録締め処理を実行させる。これにより、無線タグリーダ２のタグ読取動作は、次の客の買物籠９が読取領域内に置かれるまで停止される。
【００４５】
このように本実施の形態によれば、無線タグリーダ２の読取領域内に置かれた買物籠９の中から、商品を取り出して読取領域外に移動させるだけの簡単な作業により、キャッシャは、無線タグリーダ２による無線タグ１０の一括読取により販売情報が登録された商品であるか登録されなかった商品であるかを容易に見分けることができる。したがって、無線タグ１０が付された商品と付されていない商品とが混在している場合でも、キャッシャは、買物籠９から取り上げた商品に無線タグ１０が付されているか否かを一々確認する手間がなくなるので、作業性を向上させることができる。また、無線タグ１０が故障していたり、買物籠９の中で他の商品に付されている無線タグ１０や金属性の商品と重なっていたりして無線タグリーダ２でそのタグ情報が読取られなかった場合でも、本実施の形態では、この種の商品を容易に見分けることができるので、その効果は大である。
【００４６】
ところで、無線タグリーダ２によってタグ情報が読取られないケースとしては、無線タグ１０の故障以外にも、前述したように、他の無線タグ１０や金属と重なっている場合が考えられる。そしてこのような場合、前記第１の実施の形態では、バーコードのスキャニング登録によって当該商品の販売情報を登録処理するようにしている。しかし、無線タグ１０が正常に機能している商品については、この無線タグ１０のタグ情報に基づいて販売情報を登録処理できることが望ましい。また今後、無線タグ１０が付されている商品のなかには、バーコードが付されていない商品が存在する場合も想定される。勿論、バーコードが付されていない商品についても、例えば商品コードをキー入力することによって販売情報を登録処理することは可能であるが、その場合には大変な手間がキャッシャにかかる。そこで次に、正常な無線タグ１０が付されているにも拘らず、無線タグリーダ２による一括読取では登録処理されなかった商品については、別途、その無線タグ１０のタグ情報に基づいて販売情報を登録処理できるようにした第２の実施の形態について、図面を用いて説明する。
【００４７】
［第２の実施の形態］
図１１は第２の実施の形態における商品販売登録処理システムのブロック構成図であり、図１２は同商品販売登録処理システムを導入したチェックアウト部の模式図である。本システムが第１の実施の形態と異なる点は、チェックアウトカウンタ７のバーコードリーダ３よりも店内側にアンテナ２Ａ，２Ｂを設けた第１の無線タグリーダ２とは別に、同カウンタ７のバーコードリーダ３よりも店外側にアンテナ５１Ａを設けた第２の無線タグリーダ５１を備え、この第２の無線タグリーダ５１を第１の無線タグリーダ２と同様にＰＯＳ端末１の無線タグリーダインターフェイス２８に接続した点であり、その他は第１の実施の形態と同様である。アンテナ５１Ａは、バーコードリーダ３と空の買物籠９′が配置される場所との間に設置され、第２の無線タグリーダ５１のタグ読取領域は、キャッシャＣＡによって買物籠９から取り出された商品が、空の買物籠９′までに移動する経路中に形成される。また、第２の無線タグリーダ５１は、籠センサ５からオン信号が出力されると、ＣＰＵ２１から読取動作開始の指令を受け、読取動作を開始し、販売商品の登録終了を宣言する締めキーが入力されると、ＣＰＵ２１から読取動作終了の指令を受け、読取動作を終了する。
【００４８】
かかる構成において、ＰＯＳ端末１のＣＰＵ２１は、図１３の流れ図に示す手順により、１買物客が買上げる販売商品の登録からその代金の清算までを制御するものとなっている。なお、図１３において、第１の実施の形態の同一制御を示す図５と同一部分には同一符号を付している。
【００４９】
すなわち、この制御において、本実施の形態が第１の実施の形態と異なる点は、第１の無線タグリーダ２で一括読取された最初のタグ情報を取得した後、第１の無線タグリーダ２から次のタグ情報が送られてくるか（ＳＴ８）、バーコードリーダ３からバーコード情報が送られてくるか（ＳＴ９）、第２の無線タグリーダ５１からタグ情報が送られてくるか（ＳＴ１４）、キーボード１１のキー入力が行われるのを待機する（ＳＴ１０）点である。そして、バーコードリーダ３からバーコード情報が送られてきた場合、及びキー入力が行われた場合には、第１の実施の形態と同様に処理する。なお、第２の無線タグリーダ５１も、第１の無線タグリーダ２と同様にＳＴ２の処理の指令で読取動作を開始し、ＳＴ１２の処理の指令で読取動作を停止するものとなっている。
【００５０】
一方、第１の無線タグリーダ２から一定の間隔で送られてくるタグ情報を受信した場合には、ＣＰＵ２１は、図１４の流れ図に具体的に示すタグ登録処理を実行する。なお、図１４においても、第１の実施の形態の同一処理を示す図６と同一部分には同一符号を付している。
【００５１】
すなわち、このタグ登録処理において、本実施の形態が第１の実施の形態と異なる点は、今回読取られたタグ情報の中に存在しないＩＤを検出した場合において、当該ＩＤに対応する販売情報を商品登録メモリ４１に売上登録処理した後、当該ＩＤのタグ情報をＲＡＭ２３に形成した登録済メモリに記憶させる点であり（ＳＴ３２）、その他は第１の実施の形態と同様である。
【００５２】
第２の無線タグリーダ５１は、キャッシャＣＡによって買物籠９から取り出された商品が、タグ読取領域を通過した時に、商品に取り付けられた無線タグのタグ情報を読取り、ＰＯＳ端末１に送信する。ＣＰＵ２１は、第２の無線タグリーダ５１から送信されるタグ情報を受信した場合には、図１５の流れ図に具体的に示す第２のタグ登録処理を実行する。先ず、ＣＰＵ２１は、今回読取られたタグ情報のＩＤが、登録済メモリに記憶されているタグ情報のＩＤの中に存在するか否かを検索する（ＳＴ６１）。そして、今回読取られたタグ情報のＩＤが、登録済メモリに記憶されているタグ情報のＩＤの中に存在する場合には（ＳＴ６２）、ＣＰＵ２１は、この第２のタグ登録処理を終了する。
【００５３】
これに対し、今回読取られたタグ情報のＩＤが、登録済メモリに記憶されているタグ情報のＩＤの中に存在しない場合には、ＣＰＵ２１は、当該ＩＤのタグ情報を登録済メモリに記憶させる（ＳＴ６３）。
【００５４】
次に、ＣＰＵ２１は、当該ＩＤのタグ情報から商品コードを取得する（ＳＴ６４）。そして、この商品コードに対応する商品情報（商品名，単価，商品画像等）をＰＯＳサーバ６の商品データベース６Ａから取り込み、この商品情報中の単価を販売金額とし、“１”を販売点数として、商品コード，販売金額及び販売点数からなる商品販売情報を商品登録メモリ４１に売上登録処理する（ＳＴ６５：第２の商品販売登録処理手段）。また、登録処理された販売金額を登録金額合計器４２に加算するとともに、登録数カウンタ４３を“１”だけカウントアップさせる（ＳＴ６６）。
【００５５】
しかる後、ＣＰＵ２１は、表示オプションメモリ４４に設定されているオプション情報ＯＰを調べる（ＳＴ６７）。ここで、オプション情報ＯＰとして“１”が設定されていた場合には、ＣＰＵ２１は、商品データベース６Ａから取得した商品情報中の商品名を表示装置４に特殊表示形態で表示させる（ＳＴ６８）。オプション情報ＯＰとして“２”が設定されていた場合には、ＣＰＵ２１は、同商品情報中の商品名と登録数カウンタ４３のカウント値Ｎとを表示装置４に表示させる（ＳＴ６９）。オプション情報ＯＰとして“３”が設定されていた場合には、ＣＰＵ２１は、同商品情報中の商品名と商品画像とを表示装置４に表示させる（ＳＴ７０）。以上で、ＣＰＵ２１は、今回の第２のタグ登録処理を終了する。
【００５６】
このように構成された第２の実施の形態によれば、正常な無線タグ１０が付されているにも拘らず、第１の無線タグリーダ２による一括読取では登録処理されなかった商品であっても、当該商品をキャッシャが一方の買物籠９から他方の買物籠９′に移すことによってその販売情報が自動的に登録処理されるので、作業性の向上を図ることができる。
【００５７】
また、第１の無線タグリーダ２によってタグ情報が読取られたことにより、その販売情報が登録処理された商品が、買物籠９から買物籠９′に移されて第２の無線タグリーダ５１によってそのタグ情報が読取られたとしても、当該商品のタグ情報は、販売情報が登録処理された時点で登録済メモリに記憶されているので、販売情報が重複して登録処理されるおそれはない。
【００５８】
なお、本発明は前記実施の形態に限定されるものではない。  
例えば前記実施の形態では、アンテナ５１Ａをバーコードリーダ３と空の買物籠９′が配置される場所との間に設置したが、アンテナ５１をチェックアウトカウンタ７に埋設し、埋設したアンテナ上に空の買物籠９′を置いても、第１の無線タグリーダ２による一括読取では登録処理されなかった商品を買物籠９′に移すことによってその販売情報が自動的に登録処理できる。
【００５９】
また、前記実施の形態では、キャッシャが買物籠９から商品を１品ずつ取り出すようにしたが、複数、例えば２品を同時に取り出して他方の買物籠９′の方に移すようにしても、表示装置４の表示内容の変化有無により取り出した商品の販売情報が無線タグリーダ２を介して登録処理されたか否かを容易に認識することができる。
【００６０】
例えば、買物籠９から商品を２品同時に取り出したとき、２品とも無線タグ１０の記憶情報が無線タグリーダ２によって読取られていた場合には、その２品の各商品名が特殊表示に変更若しくは商品名や商品画像が追加表示されるので、キャッシャは、この２品目がいずれも登録処理されたものと認識できる。また、一方の商品には無線タグ１０が付されていなかった場合には、他方の商品の商品名のみ特殊表示に変更若しくは商品名や商品画像が追加表示されるので、キャッシャは、商品名が特殊表示に変更若しくは商品名や商品画像が追加表示された一方の商品は登録処理されたが、他方の商品は登録処理されなかったと認識できる。また、両方の商品に無線タグ１０が付されていなかった場合には、表示装置の表示内容が変更されないことから、両方とも登録処理されなかったと認識できる。
【００６１】
したがって、買物籠９から１品ずつ取り出さざるを得なかったバーコード仕様のみの従来の商品販売登録処理システムと比べて登録業務の作業時間を大幅に短縮できる効果を奏する。また、必ずしも各商品を買物籠９に入れた状態でチェックアウトカウンタ７の上に置かなければならないものではなく、商品をそのまま無線タグリーダ２の読取領域内においても、本発明の作用効果を奏するものである。
【００６２】
また、前記実施の形態では、表示オプションメモリ４４を設け、第１〜第３の情報表示形式のなかからいずれか１形式を選択的に設定する場合を示したが、いずれか１形式に固定して、表示オプションメモリ４４を省略してもよい。また、前記実施の形態では、第１の情報表示形式として無線タグリーダ２によって一括読取された無線タグがそれぞれ付された商品の商品名を一斉に表示させるとともに一括読取されたタグ情報数を表示させ、その後、商品情報が登録処理された商品の商品名を例えば白黒反転などの特殊表示に変更するとともにタグ情報数を減算する形式としたが、商品名の白黒反転，字体変更，取消線表示等の特殊表示のみとして、タグ情報数カウンタ４６を省略してもよい。また、逆に、タグ情報数のみを表示させるようにしても、無線タグリーダ２を介して商品情報が登録処理される毎にタグ情報数が変化するので、キャッシャに報知することができる。この場合、表示装置４としてタグ情報数だけを表示可能な簡易な小型表示器を適用することができる。
【００６３】
また、前記実施の形態では、無線タグリーダ２により前回読取られたが今回読取られなかったタグ情報が検出される毎に、そのタグ情報に含まれる商品コードに対応した商品名または商品画像を表示装置４に表示させるか表示装置４の表示内容を変更することによってキャッシャに報知したが、報知手段は表示に限定されるものではなく、例えば該当する商品名を音声で発音させることによってキャッシャに報知するようにしてもよい。
【００６４】
また、前記実施の形態では、無線タグリーダ２により前回読取られたが今回読取られなかったタグ情報が検出されるまで、そのタグ情報に含まれる商品コードが設定された商品の販売情報を登録処理しなかったが、無線タグリーダ２によりタグ情報が最初に読取られた時点で当該商品の販売情報を登録処理してもよい。
【図面の簡単な説明】
【００６５】
【図１】第１の実施の形態における商品販売登録処理システムのブロック構成図。
【図２】同実施の形態におけるチェックアウト部の模式図。
【図３】同実施の形態におけるＰＯＳ端末の要部構成を示すブロック図。
【図４】同ＰＯＳ端末のＲＡＭに形成される主要なメモリエリアを示す図。
【図５】同ＰＯＳ端末のＣＰＵが実行する主要な制御の処理手順を示す流れ図。
【図６】図５における無線タグ登録処理の内容を具体的に示す流れ図。
【図７】図５におけるバーコード登録処理の内容を具体的に示す流れ図。
【図８】第１の実施の形態において表示装置に対する表示オプションとして第１の情報表示形式が選択された場合の一表示例を示す図。
【図９】同表示装置に対する表示オプションとして第２の情報表示形式が選択された場合の一表示例を示す図。
【図１０】同表示装置に対する表示オプションとして第３の情報表示形式が選択された場合の一表示例を示す図。
【図１１】第２の実施の形態における商品販売登録処理システムのブロック構成図。
【図１２】同実施の形態におけるチェックアウト部の模式図。
【図１３】同実施の形態におけるＰＯＳ端末のＣＰＵが実行する主要な制御の処理手順を示す流れ図。
【図１４】図１３における無線タグ登録処理の内容を具体的に示す流れ図。
【図１５】図１３における第２の無線タグ登録処理の内容を具体的に示す流れ図。
【符号の説明】
【００６６】
１…ＰＯＳ端末、２…無線タグリーダ、３…バーコードリーダ、４…表示装置、５…籠センサ、６…ＰＯＳサーバ、１０…無線タグ、５１…第２の無線タグリーダ。
【図１】
2005141648.tif 000003
【図２】
2005141648.tif 000004
【図３】
2005141648.tif 000005
【図４】
2005141648.tif 000006
【図５】
2005141648.tif 000007
【図６】
2005141648.tif 000008
【図７】
2005141648.tif 000009
【図８】
2005141648.tif 000010
【図９】
2005141648.tif 000011
【図１０】
2005141648.tif 000012
【図１１】
2005141648.tif 000013
【図１２】
2005141648.tif 000014
【図１３】
2005141648.tif 000015
【図１４】
2005141648.tif 000016
【図１５】
2005141648.tif 000017